(57)【要約】【課題】  構造簡単な器具にて後頭部や首筋および足の裏を載せて，誰でもいつでも，手軽に，痛痒感を伴うことなく，効率的に且つ効果的にマッサージを行うことができる簡易マッサージ具を提供する。【解決手段】  後頭部，首筋および足の裏を載せて該部位をマッサージするに適した長さ，厚さ乃至巾，高さを有し、木質板等の適宜材質にて形成された長方形状の台板において、その上部外周面の形状を長さ方向及びこれと直交する厚さ乃至巾方向に沿って適度な曲率で上方に凸に湾曲せしめたことを特徴とする。【選択図】図１
0003102515.tif 000002
【実用新案登録請求の範囲】
【請求項１】
後頭部，首筋及び足の裏を載せてマッサージするに適した長さ，厚さ乃至巾，高さを有し、木質板等の適宜材質にて形成された長方形状の台板において、その上部外周面の形状を長さ方向及びこれと直交する厚さ乃至巾方向に沿って適度な曲率で上方に凸に湾曲せしめたことを特徴とする簡易マッサージ具。
【考案の詳細な説明】
【技術分野】
【０００１】
本考案は、簡単な器具にて後頭部，首筋及び足の裏を載せて手軽に且つ効率的にマッサージすることができる簡易マッサージ具に関するものである。
【背景技術】
【０００２】
一般に足の裏をマッサージする器具としては、竹筒を長さ方向に沿って半割にした竹踏み台もしくは斯かる湾曲形状の足踏み台を合成樹脂にて作成したものがよく知られている。  また，斯かる湾曲形状の足踏み台表面に多数の小突起を配列したものがある（特許文献１参照。）。
【特許文献１】特開2000−60935号公報
【考案の開示】
【考案が解決しようとする課題】
【０００３】
しかし斯かる従来の足踏み台においては、いずれも足の裏を載せる台板上面の上方に凸に湾曲した湾曲形状が長さ方向或いはこれと直交する巾方向のいずれか一方のみに施されているため、足裏マッサージの刺激が単調で変化に乏しくマッサージ効果としては効率的ではなかった。  また後者の特許文献1記載のものにおいては、足踏み台表面に多数の小突起が施されているため、人によっては或いは時によっては痛痒感を伴い誰でも手軽に効率良くマッサージするには必ずしも好適とは云い難いものであった。
更にこれらの足踏み台は、その構造上後頭部や首筋を効果的にマッサージすることはできないものであった。
【０００４】
本考案は斯かる事情に鑑みなされたもので、前記従来の足裏マッサージを行う足踏み台の構造上に起因する諸難点を解消し、簡単な器具にて後頭部，首筋及び足の裏を載せて手軽に且つ効率的にマッサージすることができる簡易マッサージ具を提供することを目的とする。
【課題を解決するための手段】
【０００５】
前記の目的を達成するために、本考案は、後頭部，首筋及び足の裏を載せてそのマッサージをするに適した長さ，厚さ乃至巾，高さを有し、木質板等の適宜材質にて形成された長方形状の台板において、その上部外周面の形状を長さ方向及びこれと直交する厚さ乃至巾方向に沿って適度な曲率で上方に凸に湾曲せしめたことを特徴とするものである。
【考案の効果】
【０００６】
本考案は前記の構成となしたので、上述の従来の足踏み台が有する諸難点を解消し、次の特有な効果を奏する。
即ち，マッサージを行う長方形状の台板が木質板等の適宜材質にて形成されて，後頭部，首筋及び足の裏を載せてそのマッサージをするに適した長さ，厚さ乃至巾，高さを有しているとともに、その上部外周面の形状を長さ方向及びこれと直交する厚さ乃至巾方向に沿って適度な曲率で上方に凸に湾曲せしめたので、簡単な構造の一つの器具にて、足の裏のみならず後頭部や首筋までも手軽にそして有効にマッサージすることができ使用上好適であるとともに、器具の利用範囲を広範なものとなすことができて経済性にも富んでいる。
【０００７】
そして，台板の上部外周面の形状は長さ方向のみならずそれと直交する厚さ乃至巾方向に沿って適度な曲率で上方に凸に湾曲せしめているので、その上方に凸の湾曲面を利用して反復繰り返し行うマッサージ運動を台板の長さ方向或いは厚さ乃至巾方向のいずれか一方方向のみの単調で偏ったものでなく，互いに直交する双方の方向で程好い刺激を加えた変化に富んだものとなすことができ、後頭部や首筋や足の裏のマッサージを効率的且つ効果的に行うことができる。  そのため当該部位に程好い刺激を与えて血行を良くし、コリをほぐし、寝つきが良くなり、深い眠りに誘うことができる。
【０００８】
更に，台板表面には互いに直交方向に沿った適度な曲率を有する上方に凸の湾曲面が形成されているのみで、多数の小突起は配列されていないので、斯かる小突起の当接による不都合な痛痒感を伴うこともなく、誰でもいつでも安心且つ安定して反復継続使用ができる。
【考案を実施するための最良の形態】
【０００９】
後頭部や首筋や足裏のマッサージに適した寸法に採寸された長方形状の台板上面に、互いに直交する方向に沿って適度な曲率で上方に凸に湾曲する湾曲面を形成したことで、簡単な構造の一つの器具にてこれら多くの異なる部位のマッサージを手軽に有効且つ効率的，効果的に行うことができる簡易マッサージ具を実現することができた。
【実施例１】
【００１０】
別紙図面の図1乃至図3に基づいて，本考案の実施の一例である簡易マッサージ具について説明する。
１はマッサージを行う長方形状の台板で、後頭部，首筋及び足の裏を載せてマッサージをするに適した長さ，厚さ乃至巾，高さを有して、木質板，合成樹脂等の適宜材質にて形成されている。
【００１１】
この台板１の上部外周面には、長さ方向及びこれと直交する厚さ乃至巾方向に沿って、適度な曲率で上方に凸に湾曲する滑らかな湾曲面２、３が夫々形成されている。  ４は、台板１下面の両端部に取り付けられた脚板である。
【００１２】
このマッサージ具の使用方法について説明する。  先ず後頭部及び首筋のマッサージを行う場合には、床上に台板１を置き，その上部外周面の湾曲面2，３の部分にタオル等の緩衝布を被せ、仰向けに寝てタオル等の布を掛けた湾曲面2，３の部分の上に後頭部或いは首筋を載せてその部位をその湾曲面2，３に沿って前後（台板１の厚さ乃至巾方向）或いは左右（台板１の長さ方向）に湾曲面２，３の頂点部分を中心として往復回動させる。  すると、後頭部或いは首筋に前記湾曲面に沿った前後及び左右方向の往復回動による異なる方向のマッサージが反復して施され、これらの部位に程好い刺激が与えられて血行が良くなり、コリがほぐされる。
次に足の裏をマッサージする場合にも同様に、湾曲面２，３の上に足の裏を載せ、該部位を湾曲面２，３の頂点部分を中心としてその湾曲面に沿って前後方向及び左右方向に往復回動させる、或いは湾曲面２，３の部分の上で足踏み運動を行う。  すると、足の裏の土踏まずや指先部分に前後左右の異なる方向のマッサージが反復して施され、該部位に程好い刺激が与えられて血行が促進され、疲労が取除かれる。
なお，後頭部，首筋及び足裏のいずれの部位のマッサージを行う場合にも、湾曲面２，３には多数の小突起が形成されておらず該部は滑らかな婉曲面となっているので、湾曲面２，３の頂点部分を中心として湾曲面に沿った前後及び左右方向の往復回動を繰り返し行っても何ら痛痒感を伴うことはなく程好い刺激が安定して与えられることとなり、誰でもいつでもマッサージを安心して反復継続して手軽に行うことができる。
【図面の簡単な説明】
【００１３】
【図１】本考案実施の一例に係る簡易マッサージ具の正面図である。
【図２】同上の側面図である。
【図３】図１のＡ−Ａ断面図である。
【符号の説明】
【００１４】
１          台板
２          長さ方向の湾曲面
３          厚さ乃至巾方向の湾曲面
４          脚板
【図１】
0003102515.tif 000003
【図２】
0003102515.tif 000004
【図３】
0003102515.tif 000005